Podtech/llm-jp-corpus-v4-ja_patent huggingface dataset:
【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
ヘプタメトキシフラボンまたはオーラプテンを有効成分とする脳神経疾患治療、脳神経疾患予防または脳機能改善のための組成物。
【請求項２】
河内晩柑の果皮より有機溶媒にて抽出した請求項１に記載の組成物。
【手続補正２】
【補正対象書類名】明細書
【補正対象項目名】０００５
【補正方法】変更
【補正の内容】
【０００５】
【特許文献１】特開２００７−６１０２８号公報
【特許文献２】特開２００２−６０３４０号公報
【手続補正３】
【補正対象書類名】明細書
【補正対象項目名】０００９
【補正方法】変更
【補正の内容】
【０００９】
この発明は、脳神経疾患治療、脳神経疾患予防または脳機能改善のための組成物を提供することを目的とする。
【手続補正書】
【提出日】平成26年9月19日(2014.9.19)
【手続補正１】
【補正対象書類名】明細書
【補正対象項目名】０００７
【補正方法】変更
【補正の内容】
【０００７】
ところで、このような従来のシート処理装置において、シート束を綴じる際、シート束の一端を把持した把持装置をシート搬送方向上流側に移動させて、シート束を綴じ処理位置に移動させるようにしたものがある。しかし、このように把持装置をシート搬送方向上流側に移動させる際、綴じ処理を行うシートのサイズ、厚さ（坪量）、枚数等の条件により、把持装置に偏った負荷がかかる場合がある。この場合、綴じ処理位置に移動した際、シート束の一端が傾斜する。また、設置環境や把持装置の消耗等によっても、シート束の一端が傾斜する場合がある。
【手続補正２】
【補正対象書類名】明細書
【補正対象項目名】００１０
【補正方法】変更
【補正の内容】
【００１０】
本発明は、シート処理装置において、シート束が載置される載置部と、前記載置部に載置されたシート束の、該シート束の一端に沿った複数個所を綴じる綴じ部と、前記載置部に載置されたシート束を、前記綴じ部による綴じ処理が可能な位置に搬送するシート束搬送部と、前記シート束搬送部により搬送されたシート束の、該シート束の一端に沿った複数個所を前記綴じ部が綴じ処理を行う際において、前記綴じ部が該シート束に対して綴じ処理を行った後で且つ該シート束に対して前記綴じ部が該綴じ処理の後の綴じ処理を行う前に、該シート束と前記綴じ部との、該一端と交差する方向に関する相対位置を調整するための調整手段と、を備えたことを特徴とするものである。
【手続補正３】
【補正対象書類名】特許請求の範囲
【補正対象項目名】全文
【補正方法】変更
【補正の内容】
【特許請求の範囲】
【請求項１】
シート束が載置される載置部と、
前記載置部に載置されたシート束の、該シート束の一端に沿った複数個所を綴じる綴じ部と、
前記載置部に載置されたシート束を、前記綴じ部による綴じ処理が可能な位置に搬送するシート束搬送部と、
前記シート束搬送部により搬送されたシート束の、該シート束の一端に沿った複数個所を前記綴じ部が綴じ処理を行う際において、前記綴じ部が該シート束に対して綴じ処理を行った後で且つ該シート束に対して前記綴じ部が該綴じ処理の後の綴じ処理を行う前に、該シート束と前記綴じ部との、該一端と交差する方向に関する相対位置を調整するための調整手段と、を備えたことを特徴とするシート処理装置。
【請求項２】
シートの枚数、サイズ及び坪量のうちの少なくとも一つのシート情報を入力する入力部を備え、
前記調整手段は、前記入力部からのシート情報に基づいて、前記相対位置を調整することを特徴とする請求項１記載のシート処理装置。
【請求項３】
前記調整手段は、前記シート束搬送部によりシート束を移動させることによって前記相対位置を調整することを特徴とする請求項２記載のシート処理装置。
【請求項４】
前記シート束搬送部は、前記載置部に載置されたシート束を保持して前記綴じ部の方向に移動し、該シート束を前記綴じ部による綴じ処理が可能な位置に搬送すると共に、前記綴じ部による綴じ処理の際には、該シート束の保持を解除して前記綴じ部と一体に、該シート束の一端に沿った方向に移動することを特徴とする請求項１ないし３のいずれか１項に記載のシート処理装置。
【請求項５】
シートに画像を形成する画像形成部と、前記画像形成部により画像が形成されたシートを処理する請求項１ないし４のいずれか１項に記載のシート処理装置と、を備えたことを特徴とする画像形成装置。
【手続補正書】
【提出日】平成26年9月1日(2014.9.1)
【手続補正１】
【補正対象書類名】明細書
【補正対象項目名】０００６
【補正方法】変更
【補正の内容】
【０００６】
（１）搬送方向に被搬送物を搬送する振動フィーダに該被搬送物を供給する振動フィーダ用ホッパであって、前記搬送方向に交差する前方側壁１と、該前方側壁１に連結した側壁４、５とを備え、前記前方側壁１には、ホッパ内部に折り込み突出した折れ込み部３が形成され、前記側壁４、５同士の間隔は、前記搬送方向と反対方向に向かうに従い狭くなっていることを特徴とする振動フィーダ用ホッパ。
（２）ホッパ本体の内周側壁の隅部６、７、８が円弧状を呈していることを特徴とする前記（１）に記載の振動フィーダ用ホッパ。
（３）振動フィーダが、ホッパ本体Ａと、ホッパ本体Ａの下方に設けられ傾斜したトラフＢと、該トラフＢに機械的に上下運動の加わった振動を与え、被搬送物を前方に投出し、搬送供給するための起振動装置Ｃとからなる前記（１）または（２）に記載の振動フィーダ用ホッパ。
（４）被搬送物が水分を３５〜５０％（ｗ／ｗ）含有する湿潤粉粒体である前記（３）に記載の振動フィーダ用ホッパ。
（５）湿潤粉粒体が、醤油麹盛込原料または種麹培養用原料である前記（４）に記載の振動フィーダ用ホッパ。
【手続補正２】
【補正対象書類名】明細書
【補正対象項目名】００２１
【補正方法】変更
【補正の内容】
【００２１】
（効果の確認）
上記実施例１において、無着色原料から赤着色原料への切り替わりを観察した。
その結果、運転開始から約３０秒後に、ホッパ前方側壁１の下端部付近から無着色原料に混じって一部赤着色原料が出始め、その５秒後にはホッパ後方隅部７の先端部の下端部付近からも赤着色原料が出始め、全体が赤着色原料になって、無着色原料が全くなくなった。
すなわち、無着色原料から赤着色原料への切り替わりに要する時間は５秒間であり、醤油麹盛込原料の滞留がほとんどないことが判った。
【手続補正３】
【補正対象書類名】明細書
【補正対象項目名】００２２
【補正方法】変更
【補正の内容】
【００２２】
（比較例１）
比較のため、図１のホッパ本体Ａに代えて、図６のホッパ（下記、従来のホッパ）を使用する以外は、全く同様にして、無着色原料から赤着色原料への切り替わりを観察した。
その結果、運転開始から約９０秒後に、ホッパ前方側壁１の下端部付近から無着色原料に混じって一部赤着色原料がホッパから出始め、その６０秒後にホッパ後方部１１の下端部付近からも赤着色原料が出始め、全体が赤着色原料になって、無着色原料が全くなくなった。
すなわち、無着色原料から赤着色原料への切り替わりに要する時間は、従来のホッパでは、６０秒間であり、本発明の５秒間と比べると１２倍も大きな滞留があることが判る。
【手続補正４】
【補正対象書類名】明細書
【補正対象項目名】００２８
【補正方法】変更
【補正の内容】
【００２８】
（効果の確認）
前記実施例２において、赤着色原料から無着色原料への切り替わりを観察した。その結果、運転開始から約１２秒後に、ホッパ前方側壁１の下端部付近から赤着色原料に混じって一部無着色原料がホッパから出始め、その６秒後にはホッパ後方隅部７の先端部付近からも無着色原料が出始め、全体が無着色原料になって、赤着色原料が全くなくなった。
すなわち、赤着色原料から無着色原料への切り替わりに要する時間は６秒間であり、種麹培養用原料の滞留はほとんどないことが判った。
【手続補正５】
【補正対象書類名】明細書
【補正対象項目名】００２９
【補正方法】変更
【補正の内容】
【００２９】
（比較例２）
比較のため、図１のホッパＡに代えて、図６のホッパ（前記、従来のホッパ）を使用する以外は、全く同様にして、赤着色原料から無着色原料への切り替わりを観察した。
その結果、運転開始から約１２秒後に、ホッパ前方側壁１の下端部付近から赤着色原料に混じって一部無着色原料がホッパから出始め、その６０秒後にホッパ後方部１１の下端部付近からも無着色原料が出始め、全体が無着色原料になって、赤着色原料が全くなくなった。
すなわち、赤着色原料から無着色原料への切り替わりに要する時間は、従来のホッパでは、６０秒間であり、本発明の６秒間と比べると１０倍も大きな滞留があることが判る。
【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
角筒状の箱本体を構成する対向する一対の壁部の端縁のうち少なくとも何れか一方に連設した外フラップと、前記箱本体を構成する対向する他の一対の壁部の端縁に連設した一対の内フラップとを備え、前記内フラップ及び前記外フラップを前記箱本体の内側に順次折り曲げ、前記内フラップの表側に前記外フラップを貼り合わせて封緘する包装箱において、
前記外フラップは、先端縁中央付近に指挿入用開口部を形成するための易突き破り部を有し、
前記一対の内フラップは、前記箱本体の内側に折り曲げた際に互いの先端縁を突き合わせ得る寸法にて形成されるとともに、封緘時に前記易突き破り部に重畳する位置に設けられた切欠部と、前記内フラップの前端縁から所定距離離間した位置で前記切欠部を起点として前記前端縁の延在方向に沿って所定長さ延在する切り込み線と、を有することを特徴とする包装箱。
【請求項２】
前記外フラップは、角筒状の箱本体を構成する対向する一対の壁部の端縁に連設した一対の外フラップであり、少なくとも何れか一方の先端縁中央付近に指挿入用開口部を形成するための易突き破り部を有することを特徴とする請求項１に記載の包装箱。
【請求項３】
前記内フラップは、前記外フラップと貼り合わせるための接着剤の塗布領域が、前記切り込み線と隣接する位置に設定されていることを特徴とする請求項１または請求項２記載の包装箱。
【請求項４】
前記切り込み線は、ミシン目状の不連続線によって構成されていることを特徴とする請求項１乃至請求項３のいずれか一項に記載の包装箱。
【請求項５】
前記外フラップ及び前記内フラップは、前記角筒状の箱本体を構成する壁部の両端部における端縁に連設されたことを特徴とする請求項１乃至４のいずれか一項に記載の包装箱。
【手続補正書】
【提出日】平成26年9月26日(2014.9.26)
【手続補正１】
【補正対象書類名】特許請求の範囲
【補正対象項目名】請求項１
【補正方法】変更
【補正の内容】
【請求項１】
積層された包装袋を収納する格納箱の上部に、前記包装袋を吸着して持ち上げて包装機に供給する吸盤を配置した包装機用袋箱であって、
駆動モータによって回動する駆動軸から前記吸盤に回動力を伝達するクランク機構を備え、
前記駆動軸とクランク機構の間に、駆動軸の駆動力を伝達、遮断する駆動伝達機構を備え、
吸盤が空動作により包装袋の上面を押さえて位置ずれを起こさないよう前記クランク機構を固定するための固定機構を備えていることを特徴とする包装機用袋箱。
【手続補正２】
【補正対象書類名】明細書
【補正対象項目名】００１１
【補正方法】変更
【補正の内容】
【００１１】
本発明の包装機用袋箱は、積層された包装袋を収納する格納箱の上部に、前記包装袋を吸着して持ち上げて包装機に供給する吸盤を配置した包装機用袋箱であって、駆動モータによって回動する駆動軸から前記吸盤に回動力を伝達するクランク機構を備え、前記駆動軸とクランク機構の間に、駆動軸の駆動力を伝達、遮断する駆動伝達機構を備え、吸盤が空動作により包装袋の上面を押さえて位置ずれを起こさないよう前記クランク機構を固定するための固定機構を備えていることを特徴とする。
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
車両に設けられたブレーキ装置の制動力を制御する電動アクチュエータと、該電動アクチュエータを車両電源からの電力供給により駆動させる制御手段とを備えたブレーキ制御装置において、
前記制御手段には、さらに補助電源が接続され、
前記制御手段は、所定のシステム終了条件が成立したとき、前記車両電源との接続を遮断し、前記補助電源からの電力供給により前記電動アクチュエータの制御を継続する電源遮断制御を実行することを特徴とするブレーキ制御装置。
【請求項２】
前記制御手段は、車両のイグニッションスイッチの状態信号と、運転者により操作される車両機器からの起動信号とを入力することができ、前記所定のシステム終了条件は、イグニッションのオフ信号に加えて、前記起動信号がないことが条件となっていることを特徴とする請求項１に記載のブレーキ制御装置。
【請求項３】
前記電源遮断制御は、前記補助電源に蓄えられた電力が枯渇するまで継続されることを特徴とする請求項１または２に記載のブレーキ制御装置。
【請求項４】
前記電源遮断制御は、前記補助電源に蓄えられた電力量が一定以上の場合に実行されることを特徴とする請求項１または２に記載のブレーキ制御装置。
【請求項５】
前記電源遮断制御は、所定時間継続されることを特徴とする請求項１または２に記載のブレーキ制御装置。
【請求項６】
前記制御手段は、前記電源遮断制御時に、前記電動アクチュエータの駆動電流を制限することを特徴とする請求項１乃至５のいずれかに記載のブレーキ制御装置。
【請求項７】
前記制御手段は、前記車両電源が失陥しているときに、前記前記補助電源からの電力供給により前記電動アクチュエータの制御を行うことを特徴とする請求項１乃至６のいずれかに記載のブレーキ制御装置。
【請求項８】
前記制御手段は、前記車両電源が失陥しているときに、前記車両電源との接続を遮断することを特徴とする請求項７に記載のブレーキ制御装置。
【請求項９】
前記ブレーキ装置は、ブレーキ液圧によって作動する液圧式のブレーキ装置であり、前記電動アクチュエータは、ブレーキ液圧を発生させるマスタシリンダのピストンを駆動することを特徴とする請求項１乃至８のいずれかに記載のブレーキ制御装置。
【請求項１０】
前記ブレーキ装置は、前記車輪と共に回転する回転体に、前記電動アクチュエータによって摩擦材を押付けて制動を行うことを特徴とする請求項１乃至８のいずれかに記載のブレーキ制御装置。
【手続補正２】
【補正対象書類名】明細書
【補正対象項目名】０００６
【補正方法】変更
【補正の内容】
【０００６】
上記の課題を解決するために、本発明は、車両に設けられたブレーキ装置の制動力を制御する電動アクチュエータと、該電動アクチュエータを車両電源からの電力供給により駆動させる制御手段とを備えたブレーキ制御装置において、前記制御手段には、さらに補助電源が接続され、前記制御手段は、所定のシステム終了条件が成立したとき、前記車両電源との接続を遮断し、前記補助電源からの電力供給により前記電動アクチュエータの制御を継続する電源遮断制御を実行することを特徴とする。
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
複数ページを有する印刷ジョブを入力する入力手段と、
前記入力手段で入力された印刷ジョブをページ単位のページデータに分割し、メモリに保持させる分割手段と、
前記分割手段で分割されたページデータを印刷順序に従って印刷を実行させる印刷制御手段と、
前記入力手段により入力された先行ジョブが前記分割手段による処理実行中に、当該先行ジョブより優先度の高い後続ジョブが前記入力手段により入力された場合、当該後続ジョブを待機させて前記先行ジョブの前記分割手段による処理を継続させる制御手段とを有することを特徴とする印刷制御装置。
【請求項２】
前記メモリの空き容量を判断する判断手段を有し、
前記制御手段は、前記判断手段により前記メモリの空き容量が不足すると判断された場合に前記後続ジョブを待機させることを特徴とする請求項１に記載の印刷制御装置。
【請求項３】
前記制御手段は、前記判断手段により前記メモリの空き容量が十分であると判断された場合、前記先行ジョブの前記分割手段による処理を中断させて前記後続ジョブの処理を実行させることを特徴とする請求項２に記載の印刷制御装置。
【請求項４】
前記分割手段により分割されたページデータのレンダリング処理を行うレンダリング手段をさらに備え、
前記制御手段は、前記レンダリング処理に必要なページデータが揃っているか判定し、揃っていると判定した場合、前記レンダリング手段にレンダリング処理を開始させ、
前記印刷制御手段は、前記レンダリング手段によりレンダリングされたページデータに基づく印刷を実行させることを特徴とする請求項１〜３のいずれか１項に記載の印刷制御装置。
【請求項５】
前記先行ジョブは、印刷ジョブがページ順の並び変えが必要な印刷ジョブであることを特徴とする請求項１〜４のいずれか１項に記載の印刷制御装置。
【請求項６】
前記分割手段で分割されたページデータの印刷を実行する印刷部をさらに備えることを特徴とする請求項１〜５のいずれか１項に記載の印刷制御装置。
【請求項７】
複数ページを有する印刷ジョブを入力し、
入力された印刷ジョブをページ単位のページデータに分割し、メモリに保持させ、
前記分割されたページデータを印刷順序に従って印刷を実行させ、
先行ジョブのためのページデータへの分割処理実行中に当該先行ジョブより優先度の高い後続ジョブが入力された場合、当該後続ジョブを待機させて前記先行ジョブのためのページデータへの分割処理を継続させることを特徴とする印刷制御方法。
【請求項８】
請求項１〜６のいずれか１項に記載の印刷制御装置の各手段、または請求項７に記載の印刷制御方法をコンピュータにより実現することを特徴とするプログラム。
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
印刷部による連続シートの両面への印刷に際し、連続シートの第１面への印刷が行われた後、第２面への印刷を行わせるために当該連続シートを反転させる反転部と、
前記印刷部により連続シートの両面への印刷のための処理を行っている先行ジョブより前記印刷部により連続シートの両面への印刷を行う後続ジョブの優先度が低いか判断する判断手段と、
前記判断手段により前記後続ジョブの優先度が低いと判断されなかった場合、前記先行ジョブの連続シートの第１面への印刷に続けて前記後続ジョブの当該連続シートの第１面への印刷を行わせるよう制御する印刷制御手段とを有することを特徴とする印刷制御装置。
【請求項２】
前記印刷制御手段は、前記判断手段により前記後続ジョブの優先度が低いと判断されなかった場合、前記先行ジョブの第１面への印刷に続けて前記後続ジョブの第１面への印刷を行わせ、前記反転部へ印刷済みの連続シートを供給させた後、前記後続ジョブ及び前記先行ジョブの第２面への印刷を行わせることを特徴とする請求項１に記載の印刷制御装置。
【請求項３】
前記印刷制御手段は、前記判断手段により前記後続ジョブの優先度が低いと判断された場合、前記先行ジョブによる連続シートの両面への印刷が完了した後に前記後続ジョブの印刷を実行させることを特徴とする請求項１又は２に記載の印刷制御装置。
【請求項４】
前記先行ジョブで使用している連続シートと前記後続ジョブで使用可能なシートが同一であるか判定する判定手段を有し、
前記判断手段は、前記判定手段で同一であると判定された場合に前記後続ジョブの優先度が低いか判断することを特徴とする請求項１〜３のいずれか１項に記載の印刷制御装置。
【請求項５】
前記連続シートを前記切断部に切断させる切断制御手段をさらに有し、
前記切断制御手段は、前記印刷部による連続シートの第１面への印刷が完了した場合に前記連続シートを前記切断部に切断させることを特徴とする請求項１〜４のいずれか１項に記載の印刷制御装置。
【請求項６】
前記切断制御手段は、連続シートの第２面への印刷後に、所定の単位で前記連続シートを前記切断部に切断させることを特徴とする請求項５に記載の印刷制御装置。
【請求項７】
前記印刷部をさらに備えることを特徴とする請求項１〜６のいずれか１項に記載の印刷制御装置。
【請求項８】
連続シートの両面への印刷に際し、印刷部による連続シートの第１面への印刷が行われた後、第２面への印刷を行わせるために当該連続シートを反転させる反転部によって当該連続シートを反転させて印刷を行わせる印刷装置の印刷制御方法であって、
前記印刷部により連続シートの両面への印刷のための処理を行っている先行ジョブより前記印刷部により連続シートの両面への印刷を行う後続ジョブの優先度が低いか判断し、
前記後続ジョブの優先度が低いと判断されなかった場合、前記先行ジョブの連続シートの第１面への印刷に続けて前記後続ジョブの当該連続シートの第１面への印刷を行わせるよう制御することを特徴とする印刷制御方法。
【請求項９】
請求項１〜７のいずれか１項に記載の印刷制御装置の各手段、または請求項８に記載の印刷制御方法をコンピュータにより実現することを特徴とするプログラム。
【手続補正２】
【補正対象書類名】明細書
【補正対象項目名】０００７
【補正方法】変更
【補正の内容】
【０００７】
上記課題を解決するため、本発明の印刷制御装置は、印刷部による連続シートの両面への印刷に際し、連続シートの第１面への印刷が行われた後、第２面への印刷を行わせるために当該連続シートを反転させる反転部と、前記印刷部により連続シートの両面への印刷のための処理を行っている先行ジョブより前記印刷部により連続シートの両面への印刷を行う後続ジョブの優先度が低いか判断する判断手段と、前記判断手段により前記後続ジョブの優先度が低いと判断されなかった場合、前記先行ジョブの連続シートの第１面への印刷に続けて前記後続ジョブの当該連続シートの第１面への印刷を行わせるよう制御する印刷制御手段とを有する。
【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
赤外領域に光吸収ピークを有する赤外線吸収剤、及び発色状態において可視領域に光吸収ピークを有し且つ物理的処理又は化学的処理により消色する消色性組成物を含む画像形成材料を用いて画像保持媒体上に形成された画像を読み取って検査画像情報を取得する取得手段と、
前記画像保持媒体上に前記赤外線吸収剤を残し、前記画像保持媒体上の前記消色性組成物を物理的処理又は化学的処理により消色する消色手段と、
を含む画像検査装置。
【請求項２】
前記消色手段は、加熱、光照射又は有機溶媒との接触により、前記消色性組成物を消色する、請求項１に記載の画像検査装置。
【請求項３】
前記赤外線吸収剤が、ナフタロシアニン系色素又はペリミジン系スクアリリウム色素である、請求項１又は２に記載の画像検査装置。
【請求項４】
前記消色性組成物が、電子供与性基を有する呈色性化合物、及び電子受容性基を有する顕色剤を含む、請求項１から３までの何れか１項に記載の画像検査装置。
【請求項５】
前記消色性組成物が、電子供与性基を有する消色剤を更に含む、
請求項４に記載の画像検査装置。
【請求項６】
前記呈色性化合物が、ロイコ色素である、請求項４に記載の画像検査装置。
【請求項７】
前記検査画像情報と予め取得された基準画像情報とを比較する比較手段と、
前記比較手段による比較結果に応じて処理を行う処理手段と、
を更に備えた請求項１から６までの何れか１項に記載の画像検査装置。
【請求項８】
前記画像保持媒体がシート状の媒体であり、
前記取得手段が、前記画像保持媒体の表裏両面から画像を読み取るように配置され、
前記消色手段が、前記画像保持媒体の表裏両面の前記消色性組成物を消色するように配置された、
請求項１から７までの何れか１項に記載の画像検査装置。
【請求項９】
前記画像保持媒体上に形成された画像が、符号化された情報を含む、
請求項１から８までの何れか１項に記載の画像検査装置。
【請求項１０】
赤外領域に光吸収ピークを有する赤外線吸収剤、及び発色状態において可視領域に光吸収ピークを有し且つ物理的処理又は化学的処理により消色する消色性組成物を含む画像形成材料を用いて画像保持媒体上に形成された画像を読み取って第１の検査画像情報を取得する第１の取得手段と、
前記画像保持媒体上に前記赤外線吸収剤を残し、前記画像保持媒体上の前記消色性組成物を物理的処理又は化学的処理により消色する消色手段と、
消色後の画像保持媒体上の画像を読み取って第２の検査画像情報を取得する第２の取得手段と、
を含む画像検査装置。
【請求項１１】
前記第１の検査画像情報と予め取得された第１の基準画像情報とを比較する第１の比較手段と、
前記第２の検査画像情報と予め取得された第２の基準画像情報とを比較する第２の比較手段と、
前記第１の比較手段による比較結果及び前記第２の比較手段による比較結果に応じて処理を行う処理手段と、
を更に備えた請求項１０に記載の画像検査装置。
【請求項１２】
赤外領域に光吸収ピークを有する赤外線吸収剤、及び発色状態において可視領域に光吸収ピークを有し且つ物理的処理又は化学的処理により消色する消色性組成物を含む画像形成材料を用いて、画像保持媒体上に画像を形成する画像形成手段と、
前記画像形成手段により前記画像保持媒体上に形成された画像を読み取って検査画像情報を取得する取得手段と、
前記画像保持媒体上に前記赤外線吸収剤を残し、前記画像保持媒体上の前記消色性組成物を物理的処理又は化学的処理により消色する消色手段と、
を含む画像形成装置。
【請求項１３】
赤外領域に光吸収ピークを有する赤外線吸収剤、及び発色状態において可視領域に光吸収ピークを有し且つ物理的処理又は化学的処理により消色する消色性組成物を含む画像形成材料を用いて、画像保持媒体上に画像を形成する画像形成手段と、
前記画像形成手段により前記画像保持媒体上に形成された画像を読み取って第１の検査画像情報を取得する第１の取得手段と、
前記画像保持媒体上に前記赤外線吸収剤を残し、前記画像保持媒体上の前記消色性組成物を物理的処理又は化学的処理により消色する消色手段と、
消色後の画像保持媒体上の画像を読み取って第２の検査画像情報を取得する第２の取得手段と、
を含む画像形成装置。
【手続補正２】
【補正対象書類名】明細書
【補正対象項目名】００１２
【補正方法】変更
【補正の内容】
【００１２】
請求項６に記載の発明は、前記呈色性化合物が、ロイコ色素である、請求項４に記載の画像検査装置である。
【手続補正３】
【補正対象書類名】明細書
【補正対象項目名】００１８
【補正方法】変更
【補正の内容】
【００１８】
請求項１２に記載の発明は、赤外領域に光吸収ピークを有する赤外線吸収剤、及び発色状態において可視領域に光吸収ピークを有し且つ物理的処理又は化学的処理により消色する消色性組成物を含む画像形成材料を用いて、画像保持媒体上に画像を形成する画像形成手段と、前記画像形成手段により前記画像保持媒体上に形成された画像を読み取って検査画像情報を取得する取得手段と、前記画像保持媒体上に前記赤外線吸収剤を残し、前記画像保持媒体上の前記消色性組成物を物理的処理又は化学的処理により消色する消色手段と、を含む画像形成装置である。
【手続補正４】
【補正対象書類名】明細書
【補正対象項目名】００１９
【補正方法】変更
【補正の内容】
【００１９】
請求項１３に記載の発明は、赤外領域に光吸収ピークを有する赤外線吸収剤、及び発色状態において可視領域に光吸収ピークを有し且つ物理的処理又は化学的処理により消色する消色性組成物を含む画像形成材料を用いて、画像保持媒体上に画像を形成する画像形成手段と、前記画像形成手段により前記画像保持媒体上に形成された画像を読み取って第１の検査画像情報を取得する第１の取得手段と、前記画像保持媒体上に前記赤外線吸収剤を残し、前記画像保持媒体上の前記消色性組成物を物理的処理又は化学的処理により消色する消色手段と、消色後の画像保持媒体上の画像を読み取って第２の検査画像情報を取得する第２の取得手段と、を含む画像形成装置である。
【手続補正書】
【提出日】平成26年8月29日(2014.8.29)
【手続補正１】
【補正対象書類名】明細書
【補正対象項目名】０００８
【補正方法】変更
【補正の内容】
【０００８】
上記課題を解決するためになされた本発明に係る袋開口機構は、容器の内面にフィルム状の内袋を装着するために、偏平に折りたたまれた筒状の帯状フィルムから一端が開口可能なフィルム袋を切り出す袋装着装置に具備され、前記切り出されたフィルム袋の一端を開口させる袋開口機構であって、前方に配置された前記フィルム袋の側面を吸着可能な吸着パッドを有するヘッド部と、前記ヘッド部の後部を、所定方向に回動自在なリンク部材を介して保持し、前記ヘッド部を前記リンク部材によりフィルム袋の側面に沿って基準位置から移動可能なブロック部材と、前記ヘッド部の移動状態を保持可能な保持手段と、前記ブロック部材を前記フィルム袋に対し進退可能に支持する進退手段とを備え、前記進退手段が前記ブロック部材を前進させることにより、前記ヘッド部の吸着パッドがフィルム袋の側面に当接して吸着し、さらに前記ブロック部材が前記フィルム袋の側面に向けて押圧されることにより、前記リンク部材が回動して、前記ヘッド部が前記フィルム袋の側面に沿って移動され、前記ヘッド部の移動状態が、前記保持手段により保持されることに特徴を有する。
このように構成することにより、ヘッド部の移動によって、密着していたフィルムをずらしてフィルム間に空気を進入させ、保持手段によって、その状態を保持してヘッド部（吸着パッド）を後退させることができ、容易かつ確実にフィルム袋を開口させることができる。
【手続補正２】
【補正対象書類名】明細書
【補正対象項目名】０００９
【補正方法】変更
【補正の内容】
【０００９】
また、前記ヘッド部が前記フィルム袋の側面に沿って移動した際に、前記ヘッド部に当接することにより、該ヘッド部の移動位置を規制する第１の位置規制部材を備え、前記進退手段は、前記ブロック部材を支持すると共に、前記ブロック部材に対し該ブロック部材の進退方向に沿って所定距離を進退自在に設けられた架台と、前記架台を前記フィルム袋に対し進退移動させる架台移動手段と、前記架台に設けられ、カム面が形成された先端部が前記ヘッド部の側方まで延びる移動補助手段とを備え、前記架台移動手段が前記架台を前進させることにより、前記ヘッド部の吸着パッドがフィルム袋の側面を押圧すると共に、前記架台は前記ブロック部材に対し前進し、前記移動補助手段のカム面が前記ヘッド部を所定方向に押圧し、前記ヘッド部が前記基準位置から前記第１の位置規制部材に当接するまで移動されることが望ましい。
このように構成することにより、前記ブロック部材の前進に伴いヘッド部を移動方向に押圧し、リンク部材を回動させて、ヘッド部を容易に移動させることができる。
【手続補正３】
【補正対象書類名】特許請求の範囲
【補正対象項目名】全文
【補正方法】変更
【補正の内容】
【特許請求の範囲】
【請求項１】
容器の内面にフィルム状の内袋を装着するために、偏平に折りたたまれた筒状の帯状フィルムから一端が開口可能なフィルム袋を切り出す袋装着装置に具備され、前記切り出されたフィルム袋の一端を開口させる袋開口機構であって、
前方に配置された前記フィルム袋の側面を吸着可能な吸着パッドを有するヘッド部と、前記ヘッド部の後部を、所定方向に回動自在なリンク部材を介して保持し、前記ヘッド部を前記リンク部材によりフィルム袋の側面に沿って基準位置から移動可能なブロック部材と、前記ヘッド部の移動状態を保持可能な保持手段と、前記ブロック部材を前記フィルム袋に対し進退可能に支持する進退手段とを備え、
前記進退手段が前記ブロック部材を前進させることにより、前記ヘッド部の吸着パッドがフィルム袋の側面に当接して吸着し、
さらに前記ブロック部材が前記フィルム袋の側面に向けて押圧されることにより、前記リンク部材が回動して、前記ヘッド部が前記フィルム袋の側面に沿って移動され、
前記ヘッド部の移動状態が、前記保持手段により保持されることを特徴とする袋開口機構。
【請求項２】
前記ヘッド部が前記フィルム袋の側面に沿って移動した際に、前記ヘッド部に当接することにより、該ヘッド部の移動位置を規制する第１の位置規制部材を備え、
前記進退手段は、前記ブロック部材を支持すると共に、前記ブロック部材に対し該ブロック部材の進退方向に沿って所定距離を進退自在に設けられた架台と、前記架台を前記フィルム袋に対し進退移動させる架台移動手段と、前記架台に設けられ、カム面が形成された先端部が前記ヘッド部の側方まで延びる移動補助手段とを備え、
前記架台移動手段が前記架台を前進させることにより、前記ヘッド部の吸着パッドがフィルム袋の側面を押圧すると共に、前記架台は前記ブロック部材に対し前進し、
前記移動補助手段のカム面が前記ヘッド部を所定方向に押圧し、前記ヘッド部が前記基準位置から前記第１の位置規制部材に当接するまで移動されることを特徴とする請求項１に記載された袋開口機構。
【請求項３】
前記進退手段が設けられた基台と、
前記基台に設けられ、カム面が形成された先端部が前記ヘッド部の側方まで延びる移動解除補助手段と、
前記ヘッド部が前記移動位置から基準位置に戻る際に、前記ヘッド部に当接することにより該ヘッド部の位置を基準位置とする第２の位置規制部材とを備え、
前記架台移動手段が前記架台を後退させることにより、前記架台は前記ブロック部材を後退させ、
前記補助解除手段のカム面が前記ヘッド部を前記基準位置の方向に押圧し、前記ヘッド部が前記移動位置から前記第２の位置規制部材に当接するまで移動されることを特徴とする請求項２に記載された袋開口機構。
【請求項４】
前記保持手段は、前記ヘッド部と前記ブロック部材との間に張架された引張りバネであって、
前記ヘッド部が前記基準位置から前記第１の位置規制部材に当接するまで移動することにより、前記引張りバネが前記ヘッド部の進退方向に対し傾斜して伸長し、該引張りバネの引張力により、前記ヘッド部の移動状態が保持されることを特徴とする請求項１乃至請求項３のいずれかに記載された袋開口機構。
【請求項５】
前記保持手段は、
前記ヘッド部に設けられた溝または突起からなる被係止部と、
前記ブロック部材に設けられた回動軸を軸に回動自在に設けられ、回動することによって前記被係止部に係止可能な係止部とを有することを特徴とする請求項１乃至請求項３のいずれかに記載された袋開口機構。
【請求項６】
前記フィルム袋の両側面を挟んで、それぞれ少なくとも２つの前記ヘッド部と前記ブロック部材と前記保持手段と前記進退手段とが対向して配置され、
相対向する一対の前記ヘッド部の移動方向は互いに逆方向であることを特徴とする請求項１乃至請求項５のいずれかに記載された袋開口機構。
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
用紙搬送経路に臨み、用紙を切断する用紙切断部と、
オートカッター装置の状態を判別する状態判別部と、
操作部の操作にしたがい、前記オートカッター装置の状態に応じて処理を実行する処理実行部と、を備え、
前記処理実行部は、
前記オートカッター装置の状態が前記用紙切断部のエラー状態の場合、前記操作部の操作にしたがって前記用紙切断部の初期化処理を含むエラー復旧処理を実行し、
前記オートカッター装置の状態が通常状態の場合、前記操作部の操作にしたがって予め定められた所定の処理を実行することを特徴とするオートカッター装置。
【請求項２】
前記用紙切断部は、
固定刃と、可動刃と、前記可動刃を駆動するカッターモーターと、を有し、
前記用紙切断部の初期化処理は、前記可動刃を初期設定位置に戻す処理であることを特徴とする請求項１に記載のオートカッター装置。
【請求項３】
請求項１または２に記載のオートカッター装置と、
前記用紙搬送経路に臨み、前記用紙に印刷を行う印刷部と、を備えることを特徴とするプリンター装置。
【請求項４】
前記プリンター装置に発生するエラーの種類ごとに、エラー復旧処理を記憶したテーブルをさらに備え、
前記オートカッター装置の状態を判別する状態判別部は、前記プリンター装置の状態、および、前記エラーの種類を判別し、
前記オートカッター装置の状態に応じて処理を実行する処理実行部は、前記プリンター装置の状態に応じて処理を実行し、前記プリンター装置の状態がエラー状態の場合、前記テーブルを参照し、前記操作部の操作にしたがって、前記エラーの種類に応じたエラー復旧処理を実行することを特徴とする請求項３に記載のプリンター装置。
【請求項５】
前記状態判別部により前記プリンター装置の状態がエラー状態と判別された場合、前記エラーの種類に応じて異なる表示を行うエラー表示部をさらに備えたことを特徴とする請求項４に記載のプリンター装置。
【請求項６】
前記処理実行部は、前記プリンター装置の状態が通常状態の場合、前記操作部の操作にしたがって前記所定の処理を実行し、
前記所定の処理として、前記用紙の所定量分の搬送を行うことを特徴とする請求項３ないし５のいずれか１項に記載のプリンター装置。
【請求項７】
用紙搬送経路に臨み、用紙を切断する用紙切断部と、操作部と、を備えたオートカッター装置の制御方法であって、
前記オートカッター装置の状態を判別する状態判別ステップと、
前記操作部の操作にしたがい、前記オートカッター装置の状態に応じて処理を実行する処理実行ステップと、を備え、
前記処理実行ステップは、
前記オートカッター装置の状態が前記用紙切断部のエラー状態の場合、前記操作部の操作にしたがって前記用紙切断部の初期化処理を含むエラー復旧処理を実行し、
前記オートカッター装置の状態が通常状態の場合、前記操作部の操作にしたがって予め定められた所定の処理を実行することを特徴とするオートカッター装置の制御方法。
【手続補正２】
【補正対象書類名】明細書
【補正対象項目名】０００７
【補正方法】変更
【補正の内容】
【０００７】
本発明のオートカッター装置は、用紙搬送経路に臨み、用紙を切断する用紙切断部と、オートカッター装置の状態を判別する状態判別部と、操作部の操作にしたがい、オートカッター装置の状態に応じて処理を実行する処理実行部と、を備え、処理実行部は、オートカッター装置の状態が用紙切断部のエラー状態の場合、操作部の操作にしたがって用紙切断部の初期化処理を含むエラー復旧処理を実行し、オートカッター装置の状態が通常状態の場合、操作部の操作にしたがって予め定められた所定の処理を実行することを特徴とする。
上記のオートカッター装置において、用紙切断部は、固定刃と、可動刃と、可動刃を駆動するカッターモーターと、を有し、用紙切断部の初期化処理は、可動刃を初期設定位置に戻す処理であることを特徴とする。
本発明のプリンター装置は、上記のオートカッター装置と、用紙搬送経路に臨み、用紙に印刷を行う印刷部と、を備えることを特徴とする。
上記のプリンター装置において、プリンター装置に発生するエラーの種類ごとに、エラー復旧処理を記憶したテーブルをさらに備え、オートカッター装置の状態を判別する状態判別部は、プリンター装置の状態、および、エラーの種類を判別し、オートカッター装置の状態に応じて処理を実行する処理実行部は、プリンター装置の状態に応じて処理を実行し、プリンター装置の状態がエラー状態の場合、テーブルを参照し、操作部の操作にしたがって、エラーの種類に応じたエラー復旧処理を実行することを特徴とする。
上記のプリンター装置において、状態判別部によりプリンター装置の状態がエラー状態と判別された場合、エラーの種類に応じて異なる表示を行うエラー表示部をさらに備えたことを特徴とする。
上記のプリンター装置において、処理実行部は、プリンター装置の状態が通常状態の場合、操作部の操作にしたがって所定の処理を実行し、所定の処理として、用紙の所定量分の搬送を行うことを特徴とする。
本発明のオートカッター装置の制御方法は、用紙搬送経路に臨み、用紙を切断する用紙切断部と、操作部と、を備えたオートカッター装置の制御方法であって、オートカッター装置の状態を判別する状態判別ステップと、操作部の操作にしたがい、オートカッター装置の状態に応じて処理を実行する処理実行ステップと、を備え、処理実行ステップは、オートカッター装置の状態が用紙切断部のエラー状態の場合、操作部の操作にしたがって用紙切断部の初期化処理を含むエラー復旧処理を実行し、オートカッター装置の状態が通常状態の場合、操作部の操作にしたがって予め定められた所定の処理を実行することを特徴とする。
なお、以下の構成としても良い。
本発明のオートカッター装置は、用紙搬送経路に臨み、用紙を切断する用紙切断部と、オートカッター装置の内部状態を判別する内部状態判別部と、１の操作部と、１の操作部の操作にしたがい、内部状態に応じて処理を実行する処理実行部と、を備え、処理実行部は、内部状態が用紙切断部のエラー発生状態の場合、１の操作部の操作にしたがって用紙切断部の初期化処理を含むエラー復旧処理を実行し、内部状態が通常状態の場合、予め定められた所定の処理を実行することを特徴とする。
【誤訳訂正書】
【提出日】平成26年3月31日(2014.3.31)
【誤訳訂正１】
【訂正対象書類名】明細書
【訂正対象項目名】０００５
【訂正方法】変更
【訂正の内容】
【０００５】
上記の第２の方法は、ろう付により濡れた反応生成物を形成するように、アルミナと化学反応する元素（element）をもつろうを用いることで構成される。アルミナといったセラミックス酸化物と金属との間のろう付を可能にする反応性合金は、主に、ＡｇＣｕ系の、主に反応性元素（reactive element）としてチタンを含むものであり、バナジウム、ジルコニウム、ニオブ、を用いることは可能である。ろう合金によってアルミナの濡れ性を改善することは、有意である。
【誤訳訂正２】
【訂正対象書類名】明細書
【訂正対象項目名】０００７
【訂正方法】変更
【訂正の内容】
【０００７】
金属とのろうの反応性元素の化学活性（chemical activity）が、アルミナとのろうの反応性元素の化学活性と比べて強いものであるにもかかわらず、連続金属層（continuous metallic layer）がアルミナの上に形成されないことと、さらに、悪い濡れ性領域（poor-wettability area）が形成されるというリスクが実際には存在する。しっかりとしたアセンブリの密閉が必要とされる場合、セラミックスの上の悪い濡れ性領域は、シーリングの欠陥を生成することとなるような多くの目に見える欠陥を有する。さらに、得られたアセンブリは、金属化したアルミナで行われたアセンブリのものよりも低い強度を示す。
【誤訳訂正３】
【訂正対象書類名】明細書
【訂正対象項目名】００１０
【訂正方法】変更
【訂正の内容】
【００１０】
この目的のために、本発明の目的は、上記の種類のアセンブリ方法を提供することであり、この方法は、要素の界面において十分な厚さと安定性を持った反応層を形成することによって、イオン結合又は共有結合の酸化物から形成される第２の要素の表面の上の非濡れ性領域を最小限とし、且つ、ろう付接合体（brazed joint）中の金属間化合物（intermetallic compound）の形成を最小限とするように、チタンと金属間化合物を形成することができる金属の要素中の合金元素（alloy element）の含有量の重量百分率が２０％未満である場合には、ろう合金中のチタンの含有量は、２重量％から５重量％の間であり、アセンブリされるチタン金属と金属間化合物を形成することができる金属の要素中の合金元素の含有量の重量百分率が２０％から５０％の間である場合には、このチタンの含有量は、５重量％から１０重量％の間から選択され、チタンと金属間化合物を形成することができる金属の要素中の合金元素の含有量の重量百分率が５０％よりも大きい場合には、このチタンの含有量は、５重量％から１０重量％の間から選択され、且つ、Ａｇの重量百分率は、６０％未満である、ことを特徴とする。
【誤訳訂正４】
【訂正対象書類名】明細書
【訂正対象項目名】００２０
【訂正方法】変更
【訂正の内容】
【００２０】
他の特徴によれば、チタンと金属間化合物を形成することができる金属の要素中の合金元素の含有量の重量百分率が２０％から５０％の間である場合には、Ａｇの重量百分率は６０％から７１％の間であり、Ｃｕの重量百分率は２６％から３６％の間であり、且つ、Ｔｉの重量百分率は５％から１０％の間である。
【誤訳訂正５】
【訂正対象書類名】明細書
【訂正対象項目名】００２１
【訂正方法】変更
【訂正の内容】
【００２１】
他の特徴によれば、チタンと金属間化合物を形成することができる金属の要素中の合金元素の含有量の重量百分率が５０％よりも大きい場合には、Ａｇの重量百分率は６０％よりも小さく、且つ、Ｔｉの重量百分率は２％から５％の間である。
【誤訳訂正６】
【訂正対象書類名】明細書
【訂正対象項目名】００２８
【訂正方法】変更
【訂正の内容】
【００２８】
このチタンの含有量は、所定の値以下とした金属間化合物の百分率を維持するように調整され、この金属間化合物の百分率は、形成されたろうの強度に対して影響を与える。
【誤訳訂正７】
【訂正対象書類名】明細書
【訂正対象項目名】００３５
【訂正方法】変更
【訂正の内容】
【００３５】
図３中には、例えば、アルミナ（ＡｌＯ３）と銅（Ｃｕ）との間といった、ろうの反応性元素と化学活性を示す元素を欠いている、イオン結合又は共有結合の酸化物と金属との間のアセンブリのための合金中のチタンの量（Ｘ  Ｔｉ重量％）に対する、形成された反応層の厚さを示すグラフである。
【誤訳訂正８】
【訂正対象書類名】明細書
【訂正対象項目名】００３７
【訂正方法】変更
【訂正の内容】
【００３７】
この厚さは、金属要素中に含まれるろうの反応性元素と化学活性を示す元素、又は、ニッケルの含有量に依存する。
図４は、セラミックスから形成された円筒状本体４と、その上に反応性ろう付で固定された２つのエンドカバー板５、６とを備える真空カートリッジＡが示される。
【誤訳訂正９】
【訂正対象書類名】明細書
【訂正対象項目名】００３９
【訂正方法】変更
【訂正の内容】
【００３９】
金属とイオン結合又は共有結合の酸化物との反応性ろう付によるアセンブリ方法は、本発明によれば、コストがかかる金属化準備工程（preliminary metallization step）を行うことなしに、行うことができ、この方法は、アセンブリされる金属がろう中の活性元素（active element）と高い反応性を有する場合であっても、用いることができる。
【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
コンピュータに、
利用者を差出人または宛先とした電子メールの表示要求を受け付け、
受け付けられた電子メールの表示要求にかかる利用者の識別情報に基づいて、他のメッセージ提供システムに記憶されているメッセージを抽出し、
抽出されたメッセージの内容を含む、前記利用者を宛先とした電子メールを作成して、前記利用者を差出人または宛先とした電子メールが記憶されている記憶部に記憶し、
前記記憶部に記憶されている電子メールの内容に基づいて、当該電子メールの概要情報を一覧で表示するための一覧表示画面を作成し、
作成された一覧表示画面を出力し、
出力された一覧表示画面に一覧で表示された概要情報にかかる電子メールの選択要求を受け付け、
受け付けられた選択要求にかかる電子メールの内容を前記記憶部から抽出し、
抽出された電子メールの内容を出力する、
処理を実行させることを特徴とする情報提供プログラム。
【請求項２】
前記メッセージを抽出する処理は、前回の抽出後に前記他のメッセージ提供システムに記憶されたメッセージを抽出することを特徴とする請求項１に記載の情報提供プログラム。
【請求項３】
前記メッセージを抽出する処理は、前回の抽出後から今回の表示要求までの時間が、あらかじめ設定された設定時間を経過している場合に、前記他のメッセージ提供システムに記憶されているメッセージを抽出することを特徴とする請求項１または２に記載の情報提供プログラム。
【請求項４】
前記メッセージを抽出する処理は、前回の抽出後に前記他のメッセージ提供システムに記憶されたメッセージの量が所定値を超えている場合に、当該他のメッセージ提供システムに記憶されているメッセージを抽出することを特徴とする請求項１または２に記載の情報提供プログラム。
【請求項５】
前記メッセージを抽出する処理は、前記他のメッセージ提供システムに記憶されているメッセージのうち、前記利用者の識別情報に基づいて、前記利用者が登録されているグループにおけるメッセージを抽出することを特徴とする請求項１〜４のいずれか一つに記載の情報提供プログラム。
【請求項６】
前記他のメッセージ提供システムが、チャンネルごとにメッセージを記憶するチャット提供システムであり、
前記メッセージを抽出する処理は、
前記チャット提供システムに記憶されているメッセージのうち、前記利用者の識別情報に基づいて、前記利用者が登録されているチャンネルにおけるメッセージを抽出することを特徴とする請求項５に記載の情報提供プログラム。
【請求項７】
前記他のメッセージ提供システムが、コミュニティごとにメッセージを記憶するＳＮＳ（Ｓｏｃｉａｌ  Ｎｅｔｗｏｒｋｉｎｇ  Ｓｅｒｖｉｃｅ）提供システムであり、
前記メッセージを抽出する処理は、
前記ＳＮＳ提供システムに記憶されているメッセージのうち、前記利用者の識別情報に基づいて、前記利用者が登録されているコミュニティにおけるメッセージを抽出することを特徴とする請求項５に記載の情報提供プログラム。
【請求項８】
利用者を差出人または宛先とした電子メールの表示要求を受け付ける表示要求受付部と、
前記表示要求受付部によって受け付けられた電子メールの表示要求にかかる利用者の識別情報に基づいて、他のメッセージ提供システムに記憶されているメッセージを抽出する抽出部と、
前記抽出部によって抽出されたメッセージの内容を含む、前記利用者を宛先とした電子メールを作成する電子メール作成部と、
前記電子メール作成部によって作成された前記利用者を差出人または宛先とした電子メールを記憶する記憶部と、
前記記憶部に記憶されている電子メールの内容に基づいて、当該電子メールの概要情報を一覧で表示するための一覧表示画面を作成する一覧表示画面作成部と、
前記一覧表示画面作成部によって作成された一覧表示画面を出力する一覧表示画面出力部と、
前記一覧表示画面出力部によって出力された一覧表示画面に一覧で表示された概要情報にかかる電子メールの選択要求を受け付ける選択要求受付部と、
前記選択要求受付部によって受け付けられた選択要求にかかる電子メールの内容を前記記憶部から抽出する電子メール抽出部と、
前記電子メール抽出部によって抽出された電子メールの内容を出力する内容出力部と、
を有することを特徴とする情報提供装置。
【請求項９】
コンピュータが、
利用者を差出人または宛先とした電子メールの表示要求を受け付け、
受け付けられた電子メールの表示要求にかかる利用者の識別情報に基づいて、他のメッセージ提供システムに記憶されているメッセージを抽出し、
抽出されたメッセージの内容を含む、前記利用者を宛先とした電子メールを作成して、前記利用者を差出人または宛先とした電子メールが記憶されている記憶部に記憶し、
前記記憶部に記憶されている電子メールの内容に基づいて、当該電子メールの概要情報を一覧で表示するための一覧表示画面を作成し、
作成された一覧表示画面を出力し、
出力された一覧表示画面に一覧で表示された概要情報にかかる電子メールの選択要求を受け付け、
受け付けられた選択要求にかかる電子メールの内容を前記記憶部から抽出し、
抽出された電子メールの内容を出力する、
処理を実行することを特徴とする情報提供方法。